(57)【要約】【課題】急速輸液の解除忘れを防止することができる急速輸液装置を提供する。【解決手段】液体Ｌを加温する加温部８０と、液体Ｌを送液する送液ポンプＰ１と、液体Ｌの流量を調整する小流量域調整操作部９０と、小流量域調整操作部９０で調整する液体Ｌの流量域よりも大きい流量域において、基準位置に対する変位量に基づいて液体Ｌの流量を調整する大流量域調整操作部１００と、大流量域調整操作部１００の基準位置に対する変位量が小さくなる方向に大流量域調整操作部１００を付勢する付勢部１３０と、大流量域調整操作部１００及び小流量域調整操作部９０の何れか一方の操作に基づいて送液ポンプＰ１を駆動制御する制御部５０と、を備える。【選択図】図７
2015157050.tif 000002
【特許請求の範囲】
【請求項１】
血液成分を含む液体を急速輸液する急速輸液装置であって、
前記液体を送液するポンプと、
前記液体の流量を調整する第一操作部と、
前記第一操作部で調整する前記液体の流量域よりも大きい流量域において、基準位置に対する変位量に基づいて前記液体の流量を調整する第二操作部と、
前記第二操作部の前記基準位置に対する変位量が小さくなる方向に前記第二操作部を付勢する付勢部と、
前記第一操作部及び前記第二操作部の何れか一方の操作に基づいて前記ポンプを駆動制御する制御部と、を備える、
急速輸液装置。
【請求項２】
前記制御部は、前記第二操作部が操作されると、前記第二操作部の操作に基づいて前記ポンプを駆動制御し、前記第二操作部が基準位置に戻ると、前記第一操作部の操作に基づいて前記ポンプを駆動制御する、
請求項１に記載の急速輸液装置。
【請求項３】
前記第二操作部は、回転可能に設けられるとともに、前記基準位置に対する回転角度に基づいて前記液体の流量を調整する、
請求項１又は２に記載の急速輸液装置。
【請求項４】
前記第二操作部は、直線状に移動可能な棒状部材を備え、前記棒状部材の基準位置に対する移動量に基づいて、前記液体の流量を調整する、
請求項１又は２に記載の急速輸液装置。
【発明の詳細な説明】
【技術分野】
【０００１】
本発明は、血液成分を含む液体を急速輸液する急速輸液装置に関する。
【背景技術】
【０００２】
従来から、血液成分を含む液体を患者に輸液する輸液装置が知られている（例えば特許文献１参照）。この輸液装置は、患者の治療に要する血液成分を含む液体が貯留されたバッグが接続されると、加温部で液体を加温するとともに、ポンプで加温された液体を患者側に送り出す。そして、この輸液装置は、液体の流量を調整するために操作パネルを備えており、輸液装置を操作する医者や看護師などの操作者が操作パネルを操作することにより、輸液の流量を設定することが可能となっている。
【先行技術文献】
【特許文献】
【０００３】
【特許文献１】特表平９−５００４８１号公報
【発明の概要】
【発明が解決しようとする課題】
【０００４】
ところで、輸液装置を用いて輸液を行う場合、通常時は、０．２ｍｌ／分〜１５０ｍｌ／分程度の小流量域で液体を輸液するが、突然患者が大量出血した場合などの緊急時には、１５０ｍｌ／分〜７５０ｍｌ／分程度の大流量域で液体を急速輸液する必要がある。このような輸液の流量調整は、通常時及び緊急時の何れも、操作パネルで流量を設定することにより行っている。
【０００５】
このため、緊急の急速輸液のために大流量域の流量を設定した後、患者の容体が安定するなどして緊急の急速輸液が必要なくなると、操作パネルで小流量域の流量に再設定する必要がある。しかしながら、操作者が小流量域の流量に再設定し忘れると、急速輸液が解除されずに大流量域の流量で輸液が続くため、貯留バッグに貯留されている液体が短時間で全量輸液されるという問題がある。
【０００６】
そこで、本発明は、急速輸液の解除忘れを防止することができる急速輸液装置を提供することを目的とする。
【課題を解決するための手段】
【０００７】
本発明に係る急速輸液装置は、血液成分を含む液体を急速輸液する急速輸液装置であって、液体を送液するポンプと、液体の流量を調整する第一操作部と、第一操作部で調整する液体の流量域よりも大きい流量域において、基準位置に対する変位量に基づいて液体の流量を調整する第二操作部と、第二操作部の基準位置に対する変位量が小さくなる方向に第二操作部を付勢する付勢部と、第一操作部及び第二操作部の何れか一方の操作に基づいてポンプを駆動制御する制御部と、を備える。
【０００８】
本発明に係る急速輸液装置によれば、急速輸液装置の操作者が第一操作部を操作して流量調整すると、液体がポンプで送り出されるため、液体を患者に輸液することができる。一方、急速輸液装置の操作者が第二操作部を操作して流量調整すると、第一操作部で調整する液体の流量域よりも大きい流量域の流量で液体がポンプで送り出されるため、液体を患者に急速輸液することができる。そして、急速輸液装置の操作者が第二操作部から手を離すと、第二操作部に加えられる外力が解放されるため、第二操作部は、付勢部の付勢力により変位量が小さくなる方向に移動して基準位置に戻る。これにより、急速輸液の解除忘れを防止することができる。
【０００９】
この場合、制御部は、第二操作部が操作されると、第二操作部の操作に基づいてポンプを駆動制御し、第二操作部が基準位置に戻ると、第一操作部の操作に基づいてポンプを駆動制御することが好ましい。このように、第二操作部が操作されると、第二操作部の操作に基づいてポンプを駆動制御することで、緊急時の急速輸液を確実に行うことができる。一方、第二操作部が基準位置に戻ると、第一操作部の操作に基づいてポンプを駆動制御することで、操作者が第二操作部から手を離すだけで、急速輸液を解除して通常の輸液に戻すことができる。
【００１０】
また、第二操作部は、回転可能に設けられるとともに、基準位置に対する回転角度に基づいて液体の流量を調整することが好ましい。このように、第二操作部を構成することで、簡易かつ感覚的に第二操作部を操作することができる。
【００１１】
また、第二操作部は、直線状に移動可能な棒状部材を備え、棒状部材の基準位置に対する移動量に基づいて、液体の流量を調整するように構成してもよい。このように、第二操作部を構成することによっても、簡易かつ感覚的に第二操作部を操作することができる。
【発明の効果】
【００１２】
本発明によれば、急速輸液の解除忘れを防止することができる。
【図面の簡単な説明】
【００１３】
【図１】本実施形態に係る急速輸液装置を示す斜視図である。
【図２】本実施形態に係る急速輸液装置の背面図である。
【図３】急速輸液装置に装着された液体回路を拡大して示す斜視図である。
【図４】液体回路の一例を示す図である。
【図５】本実施形態に係る急速輸液装置のブロック図である。
【図６】第二操作部を示す正面図である。
【図７】第二操作部周りを示す概略構成図である。
【図８】回転位置規制部を示す概略断面図である。
【図９】付勢部を示す概略断面図である。
【図１０】制御部の処理動作を示すフローチャートである。
【図１１】第二操作部の変形例を示す図である。
【発明を実施するための形態】
【００１４】
以下、図面を参照しつつ本発明の好適な実施形態について詳細に説明する。なお、本実施形態で用いる「液体」とは、赤血球、白血球、または血小板などの血液成分を含む液体を広く意図しており、輸血用の全血製剤、赤血球製剤、血小板製剤、血漿製剤などの血液製剤及び生理食塩水を含む。
【００１５】
本実施形態に係る急速輸液装置１は、治療において血液製剤などの液体を患者に導入する装置であり、特に、緊急を要する場合に、冷蔵保存された液体を適当な温度まで加温しながら送液する装置である。急速輸液装置１には血液成分を含む液体が通過する液体回路２が装着される。最初に、液体回路２について説明し、その後、急速輸液装置１を詳述する。
【００１６】
（液体回路）
図３、及び図４に示されるように、液体回路２は、例えば、合成樹脂製（塩化ビニルなど）のチューブなどを備えており、液体Ｌが通過する流路を形成している。液体回路２は、急速輸液装置１の所定位置に設置され、急速輸液装置１の駆動によって液体回路２内の液体Ｌが移送され、また、液体回路２内を通過する液体Ｌが適宜に加温される。
【００１７】
液体回路２は、基本的に外気から遮断された閉鎖系の液体流路であり、低温貯蔵によって品質管理されていた血液や抗凝固剤等の混合液体（以下、「液体」）Ｌを貯留するリザーババッグ４と、液体Ｌを移送する送液ライン１０と、送液ライン１０の終端に設けられて液体Ｌを排出する穿刺針接続部５と、送液ライン１０上に設けられたドリップチャンバ７と、を備えている。
【００１８】
送液ライン１０は、リザーババッグ４と穿刺針接続部５とを連絡する液体流路であり、送液ライン１０の途中には、ドリップチャンバ７が取り付けられている。送液ライン１０のうち、ドリップチャンバ７を挟んだ上流側は上流側ライン１１であり、下流側は下流側ライン１２である。
【００１９】
ドリップチャンバ７は、流路を形成するチューブの内径に比べて幅の広い筒状容器であり、ドリップチャンバ７内に流入した液体Ｌから気泡が分離捕捉される。ドリップチャンバ７は、長手方向が上下を向くように急速輸液装置１に設置され、上部には気泡排出口７ａと液体受入口７ｃとが設けられ、下端部には液体排出口７ｂが設けられている。
【００２０】
上流側ライン１１の途中には、合成樹脂製でプレート状の加温バッグ１３が設けられている。加温バッグ１３は、後述する加温部８０に接触等するように急速輸液装置１内に挿入される。加温バッグ１３には液体Ｌが通過する蛇行流路１３ａが形成されており、蛇行流路１３ａの入口１３ｂと出口１３ｃとには、それぞれチューブが接続されている。入口１３ｂ側のチューブはリザーババッグ４に接続されており、出口１３ｃ側のチューブはドリップチャンバ７の液体受入口７ｃに接続されている。
【００２１】
また、ドリップチャンバ７の液体排出口７ｂにはチューブが接続され、このチューブの下流側の端部には、穿刺針接続部５が設けられている。また、ドリップチャンバ７の気泡排出口７ａにはチューブが接続され、このチューブの他方の端部はリザーババッグ４に接続されている。ドリップチャンバ７の液体排出口７ｂに接続されたチューブは下流側ライン１２を形成し、気泡排出口７ａに接続されたチューブは気泡戻しライン１５を形成する。また、下流側ライン１２を形成するチューブは、途中の分岐部１２ａで分岐し、リザーババッグ４に接続される。下流側ライン１２の分岐部１２ａから分岐するチューブは、追加気泡戻しライン１７を形成する。
【００２２】
また、液体回路２の主要部は、回路パネル３に組み付けられ、一体的にまとめられている。回路パネル３を急速輸液装置１の所定位置に装着することで、間接的、且つ簡易に液体回路２の主要部の急速輸液装置１への装着が完了する。
【００２３】
（急速輸液装置）
図１〜図５に示されるように、急速輸液装置１は、液体回路２を通過する液体Ｌを送液する送液ポンプＰ１、液体Ｌを加温する加温部８０、液体Ｌ中の気泡を検出する各検出器３０ａ、３０ｂ、３０ｃ、液体回路２のチューブを締め付けて流路を閉じ、締め付けを解いて流路を開く主クランプ３１、及び副クランプ３２を備え、更に、送液ポンプＰ１、気泡除去ポンプＰ２、及び加温部８０等の制御を行う制御部５０を備えている。
【００２４】
急速輸液装置１の筐体４０は、コンパクトでスリムな体形を意識して設計されており、奥行きに比べて正面、及び背面の幅がかなり狭くなっている。筐体４０は、側面視で縦長の略矩形であり、更に、上部が前方に嘴状に突き出した形状になっている。この嘴状の形状により、筐体４０の正面上部には、傾斜面４０ａが形成されている。また、筐体４０の上端である略平坦な部分は、周縁よりも内側の方が僅かに窪んだトレー部４０ｂが形成されており、作業時の物置として適宜利用できる。
【００２５】
筐体４０の正面上部に設けられた傾斜面４０ａには、操作パネル６０が設けられている。操作パネル６０には、表示モニター６１、停止スイッチ６２、各種設定ボタン６３、小流量域調整操作部９０及び大流量域調整操作部１００が配置されている。小流量域調整操作部９０は、通常の輸液等の際に使用される第二操作部であり、大流量域調整操作部１００は、緊急時の急速輸液等の際に使用される第一操作部である。なお、小流量域調整操作部９０及び大流量域調整操作部１００の詳細については後述する。操作パネル６０を傾斜面４０ａに配置することで、少なくとも立った状態で作業する医療従事者にとっての利便性、作業性は向上する。
【００２６】
操作パネル６０の下方には、送液ポンプＰ１が設けられている。送液ポンプＰ１は、矩形のボックス内で回転するロータを備え、このロータがチューブを一定方向に扱くように回転することで、液体回路２内の液体Ｌを送液する。なお、本実施形態に係る送液ポンプＰ１は操作パネル６０よりも奥に隠れた位置に配置されており、傾斜面４０ａではなく、鉛直面上に配置されている。しかしながら、送液ポンプＰ１についても液体回路２のチューブをローラの所定位置に巻き付けて装着する際の利便性を考慮し、操作パネル６０と同様に傾斜面４０ａに設けるようにしても良い。
【００２７】
送液ポンプＰ１の下方には、液体回路２の加温バッグ１３が挿入される縦長のスロット４１が設けられている。スロット４１は、加温部８０の挿入口となる部分であり、スロット４１内に加温部８０が内蔵されている。スロット４１は、下端の方が上端よりも手前側に突き出すように傾斜しており、加温バッグ１３を挿入する際の作業性の向上という点で有利である。
【００２８】
スロット４１の下方には、漏出した液体Ｌを受け入れる受け皿４２が設けられている。緊急時の輸血では、液体回路２の内圧が通常輸血の場合に比べて大きくなり、その分、合成樹脂等からなる可撓性の加温バッグ１３には過負荷がかかる。当然のことながら、加温バッグ１３には、その過負荷に耐え得るだけの十分な強度を持たせているが、仮に、加温バッグ１３が破損して液体Ｌが漏出し、急速輸液装置１の全体から漏れ出てしまうと、後の作業等にも支障をきたす恐れがある。そこで、本実施形態では、筐体４０内の所定位置に保持された加温バッグの下方に、受け皿４２に接続されたスロープ４３を設けている。漏出した液体Ｌをスロープ４３で受け止めることで漏出した液体Ｌの拡散を最小限に抑えることができ、また、傾斜したスロープ４３によって受け皿４２に集約されるので急速輸液装置１の周囲の広い範囲を汚してしまうことを防ぐことができる。
【００２９】
筐体４０の側面には、液体回路２の回路パネル３を所定位置に保持する複数のフック４４が設けられている。これらのフック４４は、回路パネル３に形成された孔部３ａや切欠き３ｂに係合して回路パネル３を所定位置に位置決めする。
【００３０】
また、この側面には、液体回路２が所定位置に設置された状態において、上流側ライン１１に対応して配置された各検出器３０ａ、下流側ライン１２の分岐部１２ａよりも上流側に配置された第１下流側検出器３０ｂ、下流側に配置された第２下流側検出器３０ｃ、分岐部１２ａよりも下流側の流路を開閉する主クランプ３１、追加気泡戻しライン１７を開閉する副クランプ３２、及び気泡戻しライン１５に配置された気泡除去ポンプＰ２等が設けられている。
【００３１】
筐体４０の底部には、急速輸液装置１を移動可能とするために、キャスター４５ａが設けられた台車部４５が４か所に設けられている。
【００３２】
筐体４０の背面には、各種液体の貯留バッグを吊り下げて支持するスタンド部４７が設けられている。各種液体の貯留バッグとは、リザーババッグ４、血液成分を含む液体Ｌを貯留する血液成分貯留バッグ４Ａ、プライミング用液体（生理食塩水等）を貯留するプライミング液貯留バッグ４Ｂ、血液成分貯留バッグ４Ｃ等である。なお、血液成分貯留バッグ４Ａ、４Ｃは、チューブを介してリザーババッグ４に接続され、リザーババッグ４内で作業者の手で揉まれることで混合される。また、プライミング液貯留バッグ４Ｂは、液体回路２にプライミング処理を施す際に、リザーババッグ４に接続され、液体Ｌや抗凝固剤をリザーババッグ４内に導入する前にプライミング液を供給する。
【００３３】
また、急速輸液装置１は、各検出器３０ａ、３０ｂ、３０ｃで検出された値に基づいて送液ポンプＰ１、気泡除去ポンプＰ２、主クランプ３１、副クランプ３２を制御し、更に、加温部８０への電力供給を制御する制御部５０を備えている。制御部５０は、ＣＰＵ，ＲＡＭ，ＲＯＭなどが実装された制御基板やメモリ及び各種制御信号の送受信を行う通信モジュールなどを備えており、制御基板が所定のプログラムに従って動作処理を行うことにより、各種機能（例えば、流量調整機能）を実現してもよい。
【００３４】
制御部５０は、操作パネル６０に接続されており、操作パネル６０で医療従事者等による操作を受け付けると、その操作信号が制御部５０に入力され、その操作信号に基づいた制御が行われる。
【００３５】
例えば、制御部５０は、各検出器３０ａ、３０ｂ、３０ｃに有線又は無線によって接続されていており、各検出器３０ａ、３０ｂ、３０ｃで検出された値に基づいて送液ライン１０内を通過する液体Ｌ中の気泡の有無を監視する。
【００３６】
また、制御部５０は、送液ポンプＰ１及び気泡除去ポンプＰ２に有線又は無線によって接続されており、送液ポンプＰ１を制御することで上流側ライン１１を通過する液体Ｌの流量である送液流量を制御する。また、制御部５０は、気泡除去ポンプＰ２を制御することで気泡戻しライン１５を通過する液体Ｌ及び気泡の少なくとも一方の流量である戻し流量を制御する。つまり、制御部５０は、送液流量と戻し流量とを制御することにより、ドリップチャンバ７内の液面が所定の高さよりも降下しないように制御しており、基本的には、送液流量よりも戻し流量の方が少なくなるように制御している。
【００３７】
また、制御部５０は、第１下流側検出器３０ｂや第２下流側検出器３０ｃでの検出値に基づいて主クランプ３１を制御して下流側ライン１２を開閉させ、また、副クランプ３２を制御して追加気泡戻しライン１７を開閉させる。
【００３８】
また、制御部５０は、電源ユニット７０に接続されており、電源ユニット７０を制御することで、加温部８０への電流の供給を制御する。電源ユニット７０は、基本的に外部電源に接続されており、制御部５０からの制御信号を受けて加温部８０への電流の供給、停止を行う。電源ユニット７０は加温部８０に電流を供給する電流供給部に相当する。
【００３９】
（小流量域調整操作部）
小流量域調整操作部９０は、回転可能に設けられたロータリー式又はダイヤル式の操作部である。そして、小流量域調整操作部９０は、基準位置に対する回転角度（変位量）に基づいて液体Ｌの流量を調整することが可能となっている。小流量域調整操作部９０が調整する液体Ｌの流量域は、通常時の輸液の流量域である小流量域である。なお、流量域とは、流量範囲を意味する。小流量域としては、例えば、０．２ｍｌ／分〜１５０ｍｌ／分とすることができる。小流量域調整操作部９０の基準位置に対する回転角度は、例えば、ポテンショメータ（不図示）により検出することができる。なお、小流量域調整操作部９０は、如何なる形式の操作部であってもよく、例えば、ボタン式、タッチパネル式又はレバー式とすることができる。
【００４０】
（大流量域調整操作部）
図６及び図７に示されるように、大流量域調整操作部１００は、小流量域調整操作部９０と同様に、回転可能に設けられたロータリー式又はダイヤル式の操作部である。大流量域調整操作部１００は、操作者が触って操作する円盤状の摘部１０１と、摘部１０１の中心部から急速輸液装置１の内部側に向けて延びて回転自在に支持された軸部１０２と、を備えている。このため、大流量域調整操作部１００は、摘部１０１を操作することにより、軸部１０２を回転軸として回転する。なお、摘部１０１の表面には、摘部１０１を回転させるために指を引っ掛ける凹部１０３が形成されている。
【００４１】
大流量域調整操作部１００は、軸部１０２周りの回転方向における、基準位置に対応する回転位置から最大位置に対応する回転位置までの回転角度範囲で、回転可能に取り付けられている。そして、大流量域調整操作部１００は、大流量域調整操作部１００の基準位置に対する回転角度θに基づいて、液体Ｌの流量を調整することが可能となっている。なお、大流量域調整操作部１００の基準位置に対する回転角度θは、大流量域調整操作部１００の回転方向における基準位置に対する変位量に相当する。具体的に説明すると、大流量域調整操作部１００は、大流量域調整操作部１００の基準位置に対する回転角度θが大きくなるほど液体Ｌの流量が大きくなり、大流量域調整操作部１００の基準位置に対する回転角度θが小さくなるほど液体Ｌの流量が小さくなるように、液体Ｌの流量を調整する。なお、大流量域調整操作部１００の回転方向のうち、基準位置に対応する回転位置側から最大位置に対応する回転位置側に向かう回転方向（図６の時計回り方向）、つまり、液体Ｌの流量が大きくなる方向を、回転方向Ｒという。
【００４２】
大流量域調整操作部１００が調整する液体Ｌの流量域は、緊急時の急速輸液の流量域である大流量域であって、小流量域調整操作部９０で調整する液体Ｌの流量域よりも大きい流量域である。大流量域としては、例えば、１５０ｍｌ／分〜７５０ｍｌ／分とすることができる。
【００４３】
図７に示されるように、大流量域調整操作部１００には、回転角度検出部１１０と、回転角度規制部１２０と、付勢部１３０と、が取り付けられている。
【００４４】
回転角度検出部１１０は、大流量域調整操作部１００の摘部１０１又は軸部１０２の基準位置に対する回転角度θを検出する。回転角度検出部１１０としては、例えば、ポテンショメータを採用することができる。但し、回転角度検出部１１０は、ポテンショメータに限定されない。
【００４５】
回転角度規制部１２０は、基準位置に対応する回転角度から最大位置に対応する回転角度までの回転角度範囲においてのみ大流量域調整操作部１００の回転を許容し、この回転角度範囲外への大流量域調整操作部１００の回転を規制する。回転角度規制部１２０は、摘部１０１及び軸部１０２の何れに対して、回転を規制してもよい。回転角度規制部１２０としては、例えば、図８（ａ）又は図８（ｂ）に示す構成を採用することができる。但し、回転角度規制部１２０は、図８（ａ）又は図８（ｂ）に示す構成に限定されない。
【００４６】
図８（ａ）では、大流量域調整操作部１００の摘部１０１に、軸部１０２と平行に延びる棒部１０４が取り付けられている。そして、回転角度規制部１２０は、棒部１０４が当接することにより棒部１０４の移動を阻止する基準位置規制板１２１及び最大位置規制板１２２を備えている。基準位置規制板１２１は、大流量域調整操作部１００が基準位置から回転方向Ｒの反対方向側に回転しないように棒部１０４の移動を阻止する板部材である。最大位置規制板１２２は、大流量域調整操作部１００が最大位置から回転方向Ｒ側に回転しないように棒部１０４の移動を阻止する板部材である。
【００４７】
図８（ｂ）では、大流量域調整操作部１００の摘部１０１に、軸部１０２と平行に延びる棒部１０４が取り付けられている。そして、回転角度規制部１２０は、棒部１０４が挿入されて棒部１０４の移動範囲を規制する規制溝１２３を備えている。規制溝１２３は、大流量域調整操作部１００の回転角度範囲においてのみ、軸部１０２を案内する溝である。具体的に説明すると、規制溝１２３は、大流量域調整操作部１００の回転に伴う棒部１０４の移動軌跡上に形成されている。そして、規制溝１２３における回転方向Ｒの反対方向側の終端位置は、大流量域調整操作部１００が基準位置となった場合に棒部１０４が当接する位置となっており、規制溝１２３における回転方向Ｒ側の終端位置は、大流量域調整操作部１００が最大位置となった場合に棒部１０４が当接する位置となっている。
【００４８】
付勢部１３０は、大流量域調整操作部１００の変位量が小さくなる方向に大流量域調整操作部１００を付勢する（押す）。つまり、付勢部１３０は、回転した大流量域調整操作部１００が基準位置に戻るように、大流量域調整操作部１００を回転方向Ｒの反対方向に付勢する。このため、大流量域調整操作部１００は、回転操作されて基準位置に対して回転すると、常に、基準位置に戻るように回転方向Ｒの反対方向に付勢された状態となる。なお、付勢するとは、ばね等の弾性力により力を加えていること、つまり、押すことを意味する。
【００４９】
具体的に説明すると、付勢部１３０は、ばね等の弾性伸縮性を有する弾性部材により構成されている。そして、付勢部１３０は、大流量域調整操作部１００の摘部１０１又は軸部１０２を、回転方向Ｒの反対方向に付勢している。付勢部１３０としては、例えば、図９に示す構成を採用することができる。但し、付勢部１３０は、図９に示す構成に限定されない。
【００５０】
図９では、大流量域調整操作部１００の摘部１０１に、軸部１０２と平行に延びる棒部１０４が取り付けられている。そして、付勢部１３０は、棒部１０４に係止されるトーションばね１３１と、急速輸液装置１に固定されてトーションばね１３１を係止する固定棒部１３２と、を備えている。トーションばね１３１は、コイル部１３１ａと、コイル部１３１ａの一方端部から略直線状に延びる第一アーム部１３１ｂと、コイル部１３１ａの他方端部から略直線状に延びる第二アーム部１３１ｃと、を備えている。トーションばね１３１は、コイル部１３１ａに大流量域調整操作部１００の軸部１０２が挿入されることで、位置決めされている。第一アーム部１３１ｂは、固定棒部１３２の回転方向Ｒの反対方向側に係止されており、第二アーム部１３１ｃは、棒部１０４の回転方向Ｒ側に係止されている。
【００５１】
このため、大流量域調整操作部１００が基準位置から回転方向Ｒ側に回転操作されると、第一アーム部１３１ｂは固定棒部１３２により回転方向Ｒ側への移動が規制されているため、コイル部１３１ａが弾性変形することにより、第二アーム部１３１ｃは棒部１０４により回転方向Ｒ側に移動する。そして、弾性変形したコイル部１３１ａの復元力により、第二アーム部１３１ｃ及び棒部１０４を介して、大流量域調整操作部１００が回転方向Ｒの反対方向側に向けて付勢される。
【００５２】
（制御処理）
次に、図１０を参照して、制御部５０による送液ポンプＰ１の制御方法について説明する。なお、以下に示す制御部５０の制御処理は、送液ポンプＰ１の作動中に繰り返し行われる。
【００５３】
まず、制御部５０は、小流量域調整操作部９０の基準位置に対する変位量に基づいて送液ポンプＰ１を駆動制御する（Ｓ１）。つまり、小流量域において、小流量域調整操作部９０の基準位置に対する変位量が大きくなるほど、送液ポンプＰ１により送液される液体Ｌの流量を大きくし、小流量域調整操作部９０の基準位置に対する変位量が小さくなるほど、送液ポンプＰ１により送液される液体Ｌの流量を小さくする。
【００５４】
次に、制御部５０は、大流量域調整操作部１００が操作されたか否かを判定する（Ｓ２）。大流量域調整操作部１００が操作されたか否かは、例えば、大流量域調整操作部１００の回転角度を検出するポテンショメータなどの回転角度検出部の検出結果が変化したか否かに基づいて判定することができる。
【００５５】
そして、大流量域調整操作部１００が操作されていないと判定すると（Ｓ２：ＮＯ）、制御部５０は、一旦処理を終了して、再度上記のＳ１から制御処理を行なう。
【００５６】
一方、大流量域調整操作部１００が操作されたと判定すると（Ｓ２：ＹＥＳ）、制御部５０は、大流量域調整操作部１００の基準位置に対する変位量に基づいて送液ポンプＰ１を駆動制御する（Ｓ３）。つまり、小流量域よりも大きい大流量域において、大流量域調整操作部１００の基準位置に対する変位量が大きくなるほど、送液ポンプＰ１により送液される液体Ｌの流量を大きくし、大流量域調整操作部１００の基準位置に対する変位量が小さくなるほど、送液ポンプＰ１により送液される液体Ｌの流量を小さくする。
【００５７】
次に、制御部５０は、大流量域調整操作部１００が基準位置に戻ったか否かを判定する（Ｓ４）。大流量域調整操作部１００が基準位置に戻ったか否かは、例えば、大流量域調整操作部１００の回転角度を検出する回転角度検出部１１０の検出結果と、基準位置に対応する回転角度と、の対比に基づいて判定することができる。
【００５８】
そして、大流量域調整操作部１００が基準位置に戻っていないと判定すると（Ｓ４：ＮＯ）、制御部は、Ｓ３に戻り、大流量域調整操作部１００の基準位置に対する変位量に基づいて送液ポンプＰ１を駆動制御する。つまり、大流量域調整操作部１００が基準位置に戻るまで、大流量域調整操作部１００の基準位置に対する変位量に基づく送液ポンプＰ１の駆動制御を継続する。
【００５９】
一方、大流量域調整操作部１００が基準位置に戻ったと判定すると（Ｓ４：ＹＥＳ）、小流量域調整操作部９０の基準位置に対する変位量に基づいて送液ポンプＰ１を駆動制御する（Ｓ５）。つまり、Ｓ２で大流量域調整操作部１００が操作されたと判定する前の状態に戻す。そして、一旦処理を終了して、再度上記のＳ１から制御処理を行なう。
【００６０】
このように、本実施形態に係る急速輸液装置１によれば、急速輸液装置の操作者が小流量域調整操作部９０を操作して流量調整すると、液体Ｌが送液ポンプＰ１で送り出されるため、加温部８０で加温された液体Ｌを患者に輸液することができる。一方、急速輸液装置１の操作者が大流量域調整操作部１００を操作して流量調整すると、小流量域調整操作部９０で調整する液体Ｌの小流量域よりも大きい大流量域の流量で液体Ｌが送液ポンプＰ１で送り出されるため、加温部８０で加温された液体Ｌを患者に急速輸液することができる。そして、急速輸液装置１の操作者が大流量域調整操作部１００から手を離すと、大流量域調整操作部１００に加えられる外力が解放されるため、大流量域調整操作部１００は、付勢部１３０の付勢力により変位量が小さくなる方向に移動して基準位置に戻る。これにより、急速輸液の解除忘れを防止することができる。
【００６１】
また、大流量域調整操作部１００が操作されると、制御部５０が大流量域調整操作部１００の操作に基づいて送液ポンプＰ１を駆動制御することで、緊急時の急速輸液を確実に行うことができる。一方、大流量域調整操作部１００が基準位置に戻ると、制御部５０が小流量域調整操作部９０の操作に基づいて送液ポンプＰ１を駆動制御することで、操作者が大流量域調整操作部１００から手を離すだけで、急速輸液を解除して通常の輸液に戻すことができる。
【００６２】
また、大流量域調整操作部１００は、回転可能に設けられて、基準位置に対する回転角度に基づいて液体の流量を調整する構成であることから、簡易かつ感覚的に大流量域調整操作部１００を操作することができる。
【００６３】
以上、本発明の好適な実施形態について説明したが、本発明は上記実施形態に限定されるものではない。例えば、上記実施形態では、第二操作部（大流量域調整操作部１００）は、ロータリー式又はダイヤル式であるものとして説明したが、例えば、図１１（ａ）に示すようなレバー型であってもよく、図１１（ｂ）に示すようなスロットルレバー型であってもよい。
【００６４】
図１１（ａ）に示す第二操作部１４０は、回転自在に支持された回転軸１４１と、回転軸１４１の先端から回転軸１４１の軸方向に対して略直交する方向に延びるレバー１４２と、を備える。そして、第二操作部１４０は、回転軸１４１を支点としてレバー１４２を揺動させた際の、レバー１４２の基準位置に対する回転角度に基づいて、液体の流量を調整する。
【００６５】
図１１（ｂ）に示す第二操作部１５０は、直線状のスリット１５１に挿入されて当該スリット１５１に案内される棒状部材１５２と、棒状部材１５２の先端に取り付けられたレバー１５３と、を備える。棒状部材１５２は、前記スリット１５１の案内により直線状に移動可能となっている。そして、第二操作部１５０は、スリット１５１の案内に従って棒状部材１５２及びレバー１５３を移動させた際の、棒状部材１５２の基準位置に対する移動量に基づいて、液体の流量を制御する。
【００６６】
また、Ｓ５では、小流量域調整操作部９０の基準位置に対する変位量に基づいて送液ポンプＰ１を駆動制御するものとして説明したが、予め送液ポンプＰ１の駆動制御量（又は液体Ｌの流量）を設定しておき、大流量域調整操作部１００が基準位置に戻ったと判定すると（Ｓ４：ＹＥＳ）、予め設定した送液ポンプＰ１の駆動制御量（又は液体Ｌの流量）に変更するものとしてもよい。
【符号の説明】
【００６７】
１…急速輸液装置、２…液体回路、３…回路パネル、３ａ…孔部、４…リザーババッグ、４Ａ…血液成分貯留バッグ、４Ｂ…プライミング液貯留バッグ、４Ｃ…血液成分貯留バッグ、５…穿刺針接続部、７…ドリップチャンバ、７ａ…気泡排出口、７ｂ…液体排出口、７ｃ…液体受入口、１０…送液ライン、１１…上流側ライン、１２…下流側ライン、１２ａ…分岐部、１３…加温バッグ、１３ａ…蛇行流路、１３ｂ…入口、１３ｃ…出口、１５…ライン、１７…ライン、３０ａ…検出器、３０ｂ…第１下流側検出器、３０ｃ…第２下流側検出器、３１…主クランプ、３２…副クランプ、４０…筐体、４０ａ…傾斜面、４０ｂ…トレー部、４１…スロット、４２…受け皿、４３…スロープ、４４…フック、４５…台車部、４５ａ…キャスター、４７…スタンド部、５０…制御部、６０…操作パネル、６１…表示モニター、６２…停止スイッチ、６３…各種設定ボタン、７０…電源ユニット、８０…加温部、９０…小流量域調整操作部（第一操作部）、１００…大流量域調整操作部（第二操作部）、１０１…摘部、１０２…軸部、１０３…凹部、１０４…棒部、１１０…回転角度検出部、１２０…回転角度規制部、１２１…基準位置規制板、１２２…最大位置規制板、１２３…規制溝、１３０…付勢部、１３１ａ…コイル部、１３１ｂ…第一アーム部、１３１ｃ…第二アーム部、１３２…固定棒部、１４０…第二操作部、１４１…回転軸、１４２…レバー、１５０…第二操作部、１５１…スリット、１５２…棒状部材、１５３…レバー、Ｌ…液体、Ｐ１…送液ポンプ、Ｐ２…気泡除去ポンプ、Ｒ…回転方向、θ…回転角度。
【図１】
2015157050.tif 000003
【図２】
2015157050.tif 000004
【図３】
2015157050.tif 000005
【図４】
2015157050.tif 000006
【図５】
2015157050.tif 000007
【図６】
2015157050.tif 000008
【図７】
2015157050.tif 000009
【図８】
2015157050.tif 000010
【図９】
2015157050.tif 000011
【図１０】
2015157050.tif 000012
【図１１】
2015157050.tif 000013